(57)【特許請求の範囲】
【請求項１】
複数のレンズ群と、固定筒と、前記固定筒よりも外径が小さい後部鏡筒と、前記固定筒に設けられた情報表示部材とを有するレンズ鏡筒において、
前記固定筒は前記レンズ鏡筒の外筒であり、
前記レンズ群は、前端に固定された前側レンズ群と、中間に移動可能に配置されたズーミング用レンズ群と、中間に移動可能に配置されたフォーカシング用レンズ群と、前記固定筒に保持される第１の後側レンズ群と、前記後部鏡筒に保持される第２の後側レンズ群とからなり、
前記後部鏡筒にはカメラと結合するマウントが固設されており、
前記後部鏡筒は前記固定筒に光軸を中心として回転自在に連設されており、
前記情報表示部材は前記固定筒と前記後部鏡筒との外径差によって生じる光軸に対して略垂直な環状平面に設けられ、
前記情報表示部材は前記レンズ鏡筒のレンズ情報を表示することを特徴とするレンズ鏡筒。
【請求項２】
前記情報表示部材は前記レンズ鏡筒の光軸及び三脚座と同一平面上にあり、撮影姿勢において撮影者に正対する位置に設けられていることを特徴とする請求項１記載のレンズ鏡筒。
【請求項３】
前記情報表示部材は液晶表示板であることを特徴とする請求項１または請求項２記載のレンズ鏡筒。
【請求項４】
前記レンズ情報は前記レンズ鏡筒の焦点距離および／または撮影距離であることを特徴とする請求項１乃至請求項３記載のレンズ鏡筒。
【発明の詳細な説明】
【技術分野】
【０００１】
大型レンズ鏡筒のレンズ情報を表示する液晶表示装置に関する。
【背景技術】
【０００２】
従来レンズ鏡筒におけるレンズ情報例えば絞り値、焦点距離及びズーム距離等の表示はレンズ鏡筒の操作環或いは固定環の表面円周上に直接刻印した数値と操作回転によって相対的に移動する指標と合致する値を読み取る方式を採ったものが多い。このためレンズの種類によっては鏡筒の構造上各種レンズ情報が近くに集中することが出来ず、それぞれの表示位置が遠く離れた位置になることは一般的である。
【０００３】
システム化された交換レンズにおいては望遠側への拡大と共にレンズ鏡筒が光軸方向に長大し、レンズの明るさに伴いレンズ径が増大したレンズが提供されてきているが、この種の従来型のレンズ情報表示方法では撮影者にとってますます読み取りにくい状態になってきている。特にレンズを三脚等に固定した撮影姿勢での情報視認が困難なものもある。
【０００４】
従来のレンズ情報表示の問題点に鑑み効率よく表示する方法として特許文献1に示すように交換レンズ鏡筒の外周に電子的表示部を設け、レンズ操作環から得られるレンズ情報生成手段によって表示部に表示する集中的表示手段を提案している。
【特許文献１】特開２００７−７２４０７号公報
【発明の開示】
【発明が解決しようとする課題】
【０００５】
撮影時に三脚等の固定手段によって固定しなければ保持不可能な大型レンズにおいて、従来のレンズ情報表示式ではレンズにカメラを装着した撮影姿勢での視認が困難であり、情報確認には体位を変えなければならなかった。
【０００６】
大型レンズを固定した撮影姿勢のままで、レンズ操作環の可変が可能であり、
この可変情報が撮影姿勢を変えることなく視認可能であり、カメラのレボルビング操作による縦位置撮影或いは横位置撮影においても視認性を妨げることの無いレンズ情報表示手段を提供する。
【課題を解決するための手段】
【０００７】
光軸方向に複数の口径の大きいレンズ群を配設してなる内焦式大型ズームレンズの鏡筒において、外筒を固定筒とし、その固定筒の後部にカメラ結合のマウントを有し、光軸を中心として回転自在な後部鏡筒が連設されたレンズ鏡筒の固定筒外径と後部鏡筒外径の段差によって生ずる約垂直環状平面にレンズ情報を表示する液晶表示板を設置し、後部鏡筒に装着するカメラの撮影姿勢で、液晶表示板が撮影者と対面位置に来る配設法によって解決を図った。
【０００８】
またズーミング操作環及びフォーカシング操作環はエンドレス回転の構造にし、装着カメラに近い後部鏡筒に配設することによってカメラ姿勢にかかわらない操作性とその情報の視認性を高めた。
【発明の効果】
【０００９】
カメラを装着し、三脚で固定した大型レンズ鏡筒であってもカメラのファインダーを眺望する撮影姿勢のまま、容易なズーミング操作及びフォーカシング操作と共に、体位や視線を大きく変更させることなく、これらレンズ情報表示を視認することが可能となる。
【発明を実施するための最良の形態】
【００１０】
以下、図面等を参照して本発明を実施するための最も良好な形態を説明する。図1は本発明の大型レンズ鏡筒にカメラを装着した状態の外観斜視図、図２は液晶表示板を設置する固定部後部の分解図であり、図３はカメラを装着したときの液晶表示とカメラファインダーの位置関係を示す図である。図４はズーミング操作環とフォーカシング操作環を配設する後部鏡筒の分解斜視図、図５はその横断面図を示している。図６はレンズ情報表示の動作回路を示すブロック図である。図において同じ部材は同じ符号で示す。
【００１１】
図１に示す大型レンズ鏡筒は光軸Ｌに沿って複数のレンズ群を配列してそれぞれに保持する複数の鏡枠を重ねて構成していて、大きく分けて外筒である固定筒１と後部に連結して一段外径の小さい後部鏡筒２の二つに分かれている。    固定筒１には図６に示すレンズ鏡筒の構成模型図に示すように先頭に固定レンズ群Ｌ１を置き、その後にズーミング移動レンズ群Ｌ２及びフォーカシング移動レンズ群Ｌ３を移動可能な機構と伴に配設し、その後に後部固定レンズの一部である固定レンズ群Ｌ4を固設した鏡筒であって、後部鏡筒２には後部固定レンズ群のうちで残りの固定レンズ群Ｌ５とＬ６を一定間隔に確保して保持した構成となっている。
【００１２】
このズーミング移動レンズ群Ｌ２とフォーカシング移動レンズ群Ｌ３との移動機構について簡単に説明すると、ズーミング移動レンズ群Ｌ２とフォーカシング移動レンズ群Ｌ３とを光軸Ｌに沿って移動させるためにそれぞれ光軸Ｌに平行にズーミング用リードスクリュー３２とフォーカシング用リードスクリュー４２とが設置されていて、そのズーミング用リードスクリュー３２の端部にはプーリが固着しているズーミング用ロータリーエンコーダー３１の軸、フォーカシング用リードスクリュー４２の端部にはプーリが固着しているフォーカシング用ロータリーエンコーダー４１の軸に結合していている。
【００１３】
ズーミング用リードスクリュー３２とフォーカシング用リードスクリュー４２との回転駆動のためにズーミング用モータ３０とフォーカシング用モータ４０とがそれぞれ近接位置に設置されていて、ズーミング用リードスクリュー３２の回転動力はズーミング用モータ３０の軸に固設するプーリとズーミング用ロータリーエンコーダー３１のプーリとの間に架けているベルト３４を通して伝え、他方のフォーカシング用リードスクリュー４２の回転はフォーカシング用モータ４０の軸に固設するプーリとフォーカシング用ロータリーエンコーダー４１のプーリとの間に架けているベルト４４を通して伝えるようになっている。
【００１４】
また、ズーミング用リードスクリュー３２には回転から直動に変換するズーミング用ナット３３が螺合されていて、ズーミング移動レンズ群Ｌ２の保持枠３５と一体になっている。そのためズーミング用モータ３０の回転駆動力は減速されてズーミング用リードスクリュー３２に伝えられ、この回転によってズーミング移動レンズ群Ｌ２を光軸Ｌに沿って平行に移動させることができる。他方のフォーカシング用スクリュー４２にも回転から直動に変換するためのフォーカシング用ナット４３が螺合されていて、フォーカシング移動レンズ群Ｌ３の保持枠４５と一体になっている。そのためフォーカシング用モータ４０の回転駆動力は減速されてフォーカシング用リードスクリュー４２に伝えられ、この回転によってフォーカシング移動レンズ群Ｌ３を光軸Ｌに沿って平行に移動させることが可能となっている。
【００１５】
以上のようにズーミング移動レンズ群Ｌ２及びフォーカシング移動レンズ群Ｌ３の移動は信号指令によって作動させるズーミング用モータ３０とフォーカシング用モータ４０との回転駆動力によるもので、それぞれのモータの回転数と直線移動量とは関数となっているためズーミング移動レンズ群Ｌ２の移動量はズーミング用ロータリーエンコーダー３１のパルス信号で精密に計測可能であって、他方のフォーカシング移動レンズ群Ｌ３もフォーカシング用ロータリーエンコーダー４１のパルス信号で精密計測が可能となっている。
【００１６】
これらズーミング移動レンズ群Ｌ２とフォーカシング移動レンズ群Ｌ３との移動指令は撮影者から与えられることになるため、この移動指令を送出する手段としてズーム指令はズーミング操作環２３の回転操作で、フォーカス指令はフォーカシング操作環２４の回転操作で得られ、これらは図１で判るように固定筒１の後部に連接する後部鏡筒２に設置されていて、左右回転が自在で停止位置が無いエンドレス構造となっている。これらズーミング操作環２３とフォーカシング操作環２４とは後部鏡筒２の端部に装着するカメラ２０に近接した位置に並設していて、固定筒１の下部に在る三脚座１ａに三脚を固定した撮影姿勢において、カメラ２０のファインダーを覗いた状態でのズーミング操作やフォーカシング操作が容易な位置となっている。
【００１７】
ズーミング操作環２３とフォーカシング操作環２４とは図６の模型図で示すようにズーミング操作環２３の操作部の外周に対して内周部にはスリット盤２３ａが固設されていて、このスリット盤２３ａを挟み込む形でズーミング用フォトインターラプター２５が後部鏡筒２の固定部（不図示）に着設されているため、ズーミング操作環２３の回動をパルス信号によって精密に計測出来るようになっている。また同じようにフォーカシング操作環２４の内周部にもスリット盤２４ａが固設されていて、このスリット盤２４ａを挟み込む形でフォーカシング用フォトインターラプター２６が後部鏡筒２の固定部（不図示）に着設されているため、フォーカシング操作環２４の回動をパルス信号によって精密に計測出来るようになっている。
【００１８】
ズーミング操作とフォーカシング操作との動作について回路ブロック図の図６に基づいて簡単に説明すると、回路が通電状態にあって撮影者が撮影倍率を可変しようとする場合、ズーミング操作環２３を回転させるとスリット盤２３ａの移動でズーミング用フォトインターラプター２５において方向と移動量とを読み取り、パルス信号としてＣＰＵ５０に送られる。その操作方向と回転量とを判断した出力信号としてドライバー５１に送られ、モータ駆動信号に変換されてズーミング用モータ３０を回転させる。この回転に連動してズーミング用リードスクリュー３２を回転させズーミング用ナット３３及びズーミングレンズＬ２を直進移動させるが望遠側ならば固定レンズＬ1に接近する方向、広角側ならば離反する方向に移動させる。ズーミング用リードスクリュー３２の回転と同期して回転するズーミング用ロータリーエンコーダー３１によってズーミングレンズＬ２の移動量の計測信号がＣＰＵ５０に戻され、撮影者によるズーミング操作環２３の回転操作量に応じた移動量に制御される。
【００１９】
次に撮影者が焦点調整をしようとする場合、フォーカシング操作環２４を回転させるとスリット盤２４ａの移動でフォーカシング用フォトインターラプター２６において
方向と移動量とを読み取り、パルス信号としてＣＰＵ５０に送られる。このパルス信号より、その操作方向と回転量とを判断した出力信号としてドライバー５２に送られ、モータ駆動信号に変換されてフォーカシング用モータ４０を回転させる。この回転に連動してフォーカシング用リードスクリュー４２を回転させフォーカシング用ナット４３及びフォーカシング移動レンズＬ３を直進移動させるが無限方向ならば固定レンズＬ４に接近する方向、至近方向ならば離反する方向に移動させる。フォーカシング用リードスクリュー４２の回転と同期して回転するフォーカシング用ロータリーエンコーダー４１によってフォーカシング移動レンズＬ３の移動量の計測信号がＣＰＵ５０に戻され、撮影者によるフォーカシング操作環２４の回転操作量に応じた移動量に制御される。
【００２０】
これら移動レンズ群Ｌ２とＬ３とには初期位置（原点）が設定されていて、これら二つの移動量はＣＰＵ５０においてズーミング用ロータリーエンコーダー３１及びフォーカシング用ロータリーエンコーダー４１の原点からのパルス数によって計測演算され、記録されている。このようにそれぞれの移動レンズ群の移動距離が判っているため撮影終了信号（カメラ或いはレンズの電源ＳＷのＯＦＦ信号等）によって自動的に初期位置（例えばレンズのズーム広角位置と焦点無限位置）に戻る習性が与えられている。一方撮影開始時に回路が起動し、ズーミング操作環２３及びフォーカシング操作環２４の操作で得られる移動レンズの移動指令は初期位置（原点）からの移動量としてＣＰＵ５０で計測されるから、その演算結果はドライバー５３を通して表示信号として液晶表示部５４に送られ、ズームの焦点距離情報は５４ａ、フォーカスの距離情報は５４ｂに表示できるようになっている。
【００２１】
次にレンズ情報を表示する液晶表示５４の構成について詳述すると、図1及び図２に示すように固定筒１の後端部は段落部１ｂにカバーリング５８を被せる構成になっていて、このカバーリング５８を段落部１ｂに被せる前の内部の状態を示したものが図２の分解図である。カバーリング５８は光軸Ｌに対して約垂直な環状平面５８ａに窓５８ｂが設けられていて、この窓５８ｂに液晶表示板５４が現出可能に内側で固設されている。液晶表示板５４は基板５４ａに着設されていてフレキシブルプリント基板（ＦＰＣ）５４ｂと結線されている。
【００２２】
固定筒1の段落部１ｂ近辺の内側は固定基盤５６があり、表示回路基板５７が固設されていて、この表示回路基板に付設されているコネクター５７ｂに液晶表示板５４のＦＰＣ５４ｂと結合すれば液晶表示回路が結線でき、レンズ情報の表示が可能となる。このためＦＰＣ５４ｂをコネクター５７ｂに結合してから固定筒１の段落部１ｂにカバーリング５８ａを被せ、ネジで固定することになる。このカバーリング５８ａを固定筒1に固定した状態は窓５８ｂに現出する液晶表示板５４が三脚座１ａに対して垂直上にあって、後部鏡筒２の結合マウント１２にカメラ２０を装着した場合、図３に示すようにカメラの横位置撮影で、液晶表示板５４が正面の対面位置にくるようになっている。
【００２３】
図1で判るようにズーミング操作環２３とフォーカシング操作環２４とが設置されている後部鏡筒２は固定筒１の後部に連設していて、装着するカメラ２０の縦位置撮影と横位置撮影とが自在に可能なレボルビング機構が内設されている。以下この機構について説明する。図５は光軸Ｌに沿って複数個のレンズ群を配列してなる大型レンズ鏡筒後部の断面図であるが、斜線で塗りつぶした部分が後部鏡筒２の部分で、後端部にカメラ結合マウント１２が固設されていて、カメラ２０を装着することが出来る。図４は後部鏡筒２が固定筒1に対して連結する構造を示していて、この部分の分解図である図５と合わせて説明すると、固定筒1の内部から後ろ側に伸びている後部端筒６があり、この後部端筒6の内側に配設された回転受け部６ａに回転筒7が嵌挿でき、光軸Ｌを中心に回動可能な遊嵌状態にある。
【００２４】
固定筒1の後部端筒６の内側の回転受け部６ａと段部６ｃの間に回転筒７を挿入し、押さえリング８によって後部端筒6の環状表面６ｂに被せ、この環状表面６ｂに押さえリング8の光軸Ｌの垂直面８ａの周囲に複数固ある穴８ｄを通してネジで固定すれば回転筒７は固定筒1の後部端筒６の内側に封着した形で、ガタ無く回転可能に構設できる。
【００２５】
固定筒１の後部端筒６の内側に構設した回転筒７は光軸Ｌに垂直な面７ａと段違いな面７ｂとがあって、７ａは押さえリング８の裏面に接して押さえられ、７ｂは押さえリング８の内側開口部から後部に僅少突出した形になる。回転筒７の垂直面７ａには１個の深い穴７ｃが在り、この穴７ｃにコイルバネ9とスチールボール１０とを埋入させると、コイルバネ９によってスチールボール１０は押さえリング８の裏面を圧接することになる。押さえリング８の圧接面にはお互い９０°間隔を保って穴８ｂと８ｃとが在るため、回転筒７を回動させるとそれぞれの９０°間隔位置でスチールボール１０がその穴に飛び込み、クリックストップの効果となる。
【００２６】
次に後部鏡筒２を固定筒１の後部端筒６に被せる形で組み込むが、後部鏡筒の内側の穴２ａから不図示のネジによって回転筒７の内側の段違いな面７ｂのネジ穴７ｄに固定でき、後部鏡筒２は回転筒７に結合させることが可能となる。これは後部鏡筒２が固定筒１の後部に連設した形態となり、しかも固定筒１に対して
回転筒７を通して回転自在となる。
【００２７】
後部鏡筒２の後方から絞り機構及び回路ユニット１１を挿入固定し、マウント１２が固設してある後部枠１３を不図示のネジによって取り付け穴１３ａと後部鏡筒２の後端垂直面２ｂのネジ穴２ｃとを通して後部鏡筒２に固定すれば後部鏡筒２の固定筒に連設する組立が完成する。さらに後方より図５に示すバックカバー１５を取り付け、後部枠１３を覆えば外装が完了する。
【００２８】
固定筒1の三脚座１ａに三脚を取り付けて、後部鏡筒２の後端部にあるマウント１２にカメラ２０を装着した状態のとき、回転筒７のスチールボール１０が押さえリング８の穴８ｃに飛び込むクリックストップ位置が図１に示すカメラの横位置撮影姿勢であり、後部鏡筒２をカメラごと左方向に９０°回転させると、回転筒７のスチールボール１０が移動して押さえリング８の穴８ｂに飛び込むクリックストップ位置がカメラの縦位置撮影姿勢となる。このように後部鏡筒２は固定筒1に対して回転自在な構造にあるため、カメラを任意な角度に回転できるが、クリックストップ位置が感覚的に認識できるため、撮影者は正確な縦位置撮影、横位置撮影の迅速且つ容易な設定が可能となる。
【００２９】
また後部鏡筒２にはロックノブ１４が付設されていて、図４及び図５で判るように固定筒1に後部鏡筒２を連設した状態では押さえリング８の外周帯８ｅがロックノブ１４の真下に来るようになっている。このロックノブ１４はネジ状になっていてこれを右回しすれば先端部が降下し、押さえリング８の外周帯８ｅを押さえ込み、後部鏡筒2の回転をロックすることが可能となり、ロックノブ１４の左回しで、ロック解除ができるようになっている。このためカメラ２０をクリックストップ位置のみならず任意の回転角度位置に固定して撮影が可能となっている。
【００３０】
このように後部鏡筒２が任意の角度に可変できるため、任意なカメラ姿勢で撮影が可能となるが、如何なるカメラ姿勢のレンズ操作においてもズーミング操作環２３及びフォーカシング操作環２４がカメラ２０に近接した位置に配設されていて、回転がエンドレスであることから任意な位置から回転操作が可能となり、非常に操作性が高くなっている。
【００３１】
以上説明のようにズーミング及びフォーカシング調整において、撮影姿勢が任意に得られると共に操作環がエンドレスであるため大型レンズであっても高い操作性が実現できることと相まって、これら操作の関数表示が撮影者の対面位置にあり、視認性が極めて高い。
【図面の簡単な説明】
【００３２】
【図１】本発明の大型レンズ鏡筒の後部外観斜視図である。
【図２】レンズ鏡筒後部の表示機構を示す分解図である。
【図３】カメラ装着時の液晶表示部の位置関係図である。
【図４】レボルビング機構を示す後部鏡筒の分解斜視図である。
【図５】後部鏡筒部分の横断面図である。
【図６】ズーミング及びフォーカシング表示回路のブロック図である。
【符号の説明】
【００３３】
１  固定筒
２  後部鏡筒
６  後部端筒
７  回転筒
８  押さえリング
９  コイルバネ  
１０  スチールボール
１１  絞り機構と回路ユニット
１２  マウント
１３  後部枠
１４  ロックノブ
１５  バックカバー  
２０  カメラ
２３  ズーミング操作環
２４  フォーカシング操作環
２５  ズーミング用フォトインターラプター
２６  フォーカシング用フォトインターラプター
３０  ズーミング用モータ
３１  ズーミング用ロータリーエンコーダー
３２  ズーミング用リードスクリュー
３３  ズーミング用ナット
３４  ベルト
３５  保持枠
４０  フォーカシング用モータ
４１  フォーカシング用ロータリーエンコーダー
４２  フォーカシング用リードスクリュー
４３  フォーカシング用ナット
４４  ベルト
４５  保持枠
５０  ＣＰＵ
５１  ドライバー
５２  ドライバー
５３  ドライバー
５４  液晶表示板
５６  固定基板
５７  表示回路基板
５８  カバーリング
【図１】
0004852556.tif 000002
【図２】
0004852556.tif 000003
【図３】
0004852556.tif 000004
【図４】
0004852556.tif 000005
【図５】
0004852556.tif 000006
【図６】
0004852556.tif 000007